(57)【要約】【課題】  公知の圧力カプセルの中に、単独でも機能する腰部（骨盤）牽引装置を組み合わせ、安全で効果が期待できる腰部骨盤牽引装置を備えた圧力カプセルを提供する。【解決手段】  単独でも使用できる腰部骨盤牽引装置を、酸素圧力カプセルの中に置くことで、従来から用いられている酸素カプセル、圧力カプセルとしての使用は勿論、腰部骨盤牽引装置の性能を効率良く引き出すことである。【選択図】図１
2016093469.tif 000002
【特許請求の範囲】
【請求項１】
空気及び又は空気に適宜の酸素が存在する公知の圧力カプセルの中に、公知の腰部骨盤牽引装置を設置したことを特徴とする腰部骨盤牽引装置を備えた圧力カプセル。
【請求項２】
前記腰部骨盤牽引装置は、その大きさが圧力カプセルの中で単独でも収納が出来且つ機能し、容易に出し入れできるものであることを特徴とする腰部骨盤牽引装置を備えた請求項１に記載の圧力カプセル。
【請求項３】
前記圧力カプセルは、蝶番によって、或いは覗き窓が大きく開閉されることによって、カプセル端部の鏡板をはずすことで、腰部骨盤牽引装置及び患者がカプセルの中に出入りできるものである腰部骨盤牽引装置を備えた請求項２乃至１又は２に記載の圧力カプセル。
【請求項４】
腰部骨盤牽引装置は腰部固定ベルトで腰部を下肢置台に固定し、下肢置台をスライドして骨盤を牽引すること、及び又は下肢置台に屈曲部を設けたスライドを備えたものである請求項１〜３の何れかに記載の腰部骨盤牽引装置。
【発明の詳細な説明】
【技術分野】
【０００１】  脊柱管狭窄症などによる腰痛、足の痺れなど、鍼灸院での治療があり、整体としては「リハビリテーション」薬剤投与によるもの、骨盤牽引装置によるもの等がある。
【背景技術】
【０００２】  従来から腰部骨盤牽引装置と圧力カプセルは、夫々独立した装置として設計、改良され、発展してきた。
即ち腰部骨盤牽引装置は、老齢化社会の故もあり、腰痛改善の一つの手段として腰部の骨盤を適切な強度、時間、リズム等で牽引し、更に要部を加熱すること等がなされている。
即ち牽引装置をコンピューターで制御する等、機械的使用条件の工夫がされ発展してきた。
そしてこの腰部骨盤牽引装置の運転は当然であるが大気圧の中で実施されていた。【０００３】  圧力カプセルもまた、大気、酸素、圧力のもと、適切かつ充分な酸素を呼吸、皮膚などを通して体に取り込ませることにより疲れた筋肉や関節などを早く回復させること疲労回復等調整施圧がなされてきた。【０００４】  この発明は血液中に酸素を取り込みながら腰部骨盤を牽引することをことを特徴とする。
一例として、最近症例が多い腰痛の一つ「脊柱管狭窄症」の根本的な原因として、漢方では「血行障害」があげられ、新鮮な酸素や栄養の不足があげられている。【０００５】  これらと同様、より高圧な酸素カプセルは「医療用カプセル」して高山病、潜水病の治療用に開発されてきた。
従来の腰部牽引装置と酸素カプセルは健康器具で分類される夫々別個の器具、装置であった。
即ち従来の腰部牽引装置は、機械化された骨盤牽引装置を椅子に取り付けた態様である。
また健康気圧カプセルは、横置でき加圧ができる密閉されるカプセルである。
気圧と酸素濃度が高くなると、血液中に溶け込んでいる酸素が増え、毛細血管を通じて身体の細胞に行き渡る増加するとされている。
その結果、新陳代謝が高まる。糖尿病や高血圧などの生活習慣病の予防や改善にも効果が期待できるとされている。【０００６】  又ダイエット効果・酸素を取り込むことで有酸素運動と同じ効果が生まれ新陳代謝の増進に効果があるとされる。。
即ち
更に血流がよくなり、酸素が皮膚の末端にまで届くことより、肌細胞の新陳代謝が活発になりアンチエイジングに効果があるとされる。
これ等の他
疲労回復・
糖尿病
高血圧
記憶力アップ・
二日酔い回復・
怪我の早期回復・
生活習慣病予防・改善
がある。【０００７】  そして従来の腰部牽引装置は何れも大気圧中で用いられ、主に椅子型である。
そのメカニズムは引例の他、各種提案されている。
【先行技術文献】
【０００８】
【特許文献１】特開２００１−４６４１４号
【特許文献２】特開２００７−２０２８７７号
【特許文献３】特開２０１０−２５６００６号
【特許文献４】特開２０１０−９９４２８号
【特許文献５】特開２０１１−１４３２２３号
【発明の開示】
然し、これら各文献１−５には未だ単独の使用しか記載がなく、これらこれら２つの装置を組み合わせて使用することについては全く記載がない。
【発明が解決しようとする課題】
即ち、従来の腰部骨盤牽引のみを備えた装置は以下の課題がある。
【０００９】  即ち、機能の付加がどんどん増加し、装置全体が大型になる。
【００１０】    よって高価格になりエネルギー効率が悪い。
【００１１】  重量と、コストが掛かる欠点がある。
【００１２】
【課題を解決するための手段】
【００１３】  上記課題を解決するためにこの発明は、図１示すように腰部骨盤牽引装置を圧力カプセルの中に備えたものである。
そして適切な濃度の酸素雰囲気、好適な圧力の下で機能する腰部骨盤牽引装置を備えたことを特徴とするものである。
更に詳しくは牽引装置ＦをそのままカプセルＥ中に収納させたもので、Ｆの機能をカプセルの機能と協同して同時に行うことである。
そして牽引装置Ｆ自体は、夫々従来公知のもの、技術等が広く使用される。
また、カプセルＥも従来公知の各種のカプセルが広く使用される。
更に牽引装置ＦをカプセルＥ内に収納する手段自体は、本発明では何ら限定するものではない。そして要はカプセルを用いて牽引装置Ｆの機能が充分に発揮できるように収納をすれば良い。
【発明を実施するための最良の形態】
【００１４】  以下実施例によって本発明の詳細を図面について説明するが、本発明がこれらの実施例に限定するものでない。
以下この実施例では、同一構成要素には同一符号を付してその説明を省略する。
【実施例１】
【００１５】  このカプセルは高気圧酸素カプセル、健康気圧カプセル、とも称され、大人がゆったりと横臥、又は仰臥し覗き窓に向かって充分余裕を持って収まる空間（広さ）で耐圧強度を持ったカプセルで、図１〜２に示す、大略直径８０ｃｍ、長さ２２００ｃｍに作られている。
而してその耐圧強度は、通常１気圧のデジタル気圧計が１．３を示す程度、即ち普通２１％の酸素濃度が５０％に上がるように設定されている。【００１６】  このカプセルＥに収まる腰部骨盤牽引装置Ｆはそのベース３が、カプセル下筒１０側に、底部から２５ｃｍと深い位置に設けられ、この２５ｃｍの中に腰部骨盤牽引装置Ｆのメカニズムの大略が収められるようになっている。
この実施例では基本的な有り様として図１−２に示す。
カプセルＥの中には、先ず牽引装置Ｆが設置される。
この牽引装置Ｆはベース３を基台として、その上に上体置台５、脇当て４、スライド巾８を置いて、腰部固定ベルト９が置かれた下肢置台７、腰部骨盤牽引装置Ｆ等が蝶番１６からカプセル上筒１１を開けてカプセルＥの中に一式セットで入れられている。
ここで人体１は、先ずベース３上に上体置台５が固定され、この上体置台５には牽引装置Ｆのメカニズム、機能の殆どが搭載される。
もう一方の下肢置台７はその上には人体１の腰部が腰部固定ベルト９で固定される。
この下肢置台７は移動式であって、スライド巾８の中を設定どおり移動する。
脇当４で保持されている。
【実施例２】
【００１７】この実施例は図１、図３の下肢置台７に屈曲部１７を設け、人体１が横臥中の姿勢を決めることができる。１８は屈曲下肢置台である。
１９は脚で、カプセルＥ全体の傾斜角、高さを設定することができる。
この傾斜角によって、腰部骨盤牽引装置Ｆの人体１に掛かる荷重が設定できる。
【実施例３】
【００１８】  この実施例は図１、図２の覗き窓１２を開閉可能とし、実施例１の腰部骨盤牽引装置Ｆは組み立てたまま、又は分解して設置することもできる。
【実施例４】
【００１９】  この実施例は図１、図２の覗き窓１２はそのまま使用し、腰部骨盤牽引装置ＦはカプセルＥの端に設けた鏡板１４から出し入れすることができる。
【実施例５】
【００２０】  この実施例は図３に示すようにこの発明は上記構成の圧力カプセルであるから、下肢置台、又はベースを微振動させること他、自由に傾斜ができることから誘眠などと、よりリラックス、より好適に人体を乗せる機能のものが自由に選択できる。
【図面の簡単な説明】
【００２１】
【図１】図１はこの発明の具体例で、実施例１の腰部骨盤牽引装置Ｆを備えた圧力カプセル図２のＢ−Ｂ線縦断側面図である。
【図２】図２は、実施例１のＡ−Ａ線縦断側面図である。
【図３】図３は、図１の腰部骨盤牽引装置ＦのＡ−Ａ線縦断側面図の下肢置台７を示す要部縦断側面図である。
【符号の説明】
【００２２】Ｅ  カプセル
Ｆ  牽引装置
１  人体・
２  枕・
３  ベース・
４  脇当て・
５  上体置台・
６  下肢・
７  下肢置台・
８  スライド巾・
９  腰部固定ベルト・
１０  カプセル下筒・
１１  カプセル上筒・
１２  覗き窓・
１３  覗き窓シール・
１４  鏡板
１５  フランジ
１６  蝶番・
１７  屈曲部・
１８  屈曲足置き台
１９  脚
【図１】
2016093469.tif 000003
【図２】
2016093469.tif 000004
【図３】
2016093469.tif 000005